(57)【要約】【課題】使用姿勢で加わる荷重を適切に受け止める。【解決手段】アームレスト２０において荷重を支えるアームレスト用フレーム２２は、退避姿勢と使用姿勢との間での姿勢変位に対応する範囲で開口するように形成され、シートバック１２に設けられた規制部１８が挿入される開口部３０が設けられた合成樹脂製のフレーム本体２８を備えている。アームレスト用フレーム２２は、開口部３０において使用姿勢で規制部１８に相対する開口縁に対応して、フレーム本体２８に一部を埋め込むように設けられた補強体３２を備えている。【選択図】図３
2020066319.tif 000002
【特許請求の範囲】
【請求項１】
シートバックに対して、該シートバックに沿う退避姿勢と該シートバックから前方向へ突き出る使用姿勢との間で支軸を中心に姿勢変位可能に設けられるアームレストの骨格を構成するアームレスト用フレームであって、
前記退避姿勢と前記使用姿勢との間での姿勢変位に対応する範囲で開口するように形成され、前記シートバックに設けられた規制部が挿入される開口部が設けられた合成樹脂製のフレーム本体と、
前記開口部において前記使用姿勢で前記規制部に相対する開口縁に対応して、前記フレーム本体に一部を埋め込むように設けられた補強体と、を備え、
前記補強体は、
前記規制部の軸方向へ延在するように設けられ、前記使用姿勢で前記規制部を受け止める受部と、
前記使用姿勢で前記受部と当たる前記規制部と反対側へ該受部から離して、該受部に相対するように設けられた支持部と、
前記受部および前記支持部を連結するように、該受部および該支持部の間に設けられた連結部と、を有し、
前記支持部は、前記アームレストの姿勢変位方向と交差する方向の幅が、前記受部において前記姿勢変位方向と交差する方向の幅よりも大きく設定されている
ことを特徴とするアームレスト用フレーム。
【請求項２】
前記受部は、円柱形状である前記規制部における周方向の１／４以上の範囲を受けるように湾曲して形成された受面が、前記使用姿勢で該規制部に当たる請求項１記載のアームレスト用フレーム。
【請求項３】
前記受部は、前記規制部における前記開口部に挿入される部分に対して、該規制部の軸方向へ亘って受け止め可能に設けられている請求項１または２記載のアームレスト用フレーム。
【請求項４】
前記補強体は、前記受部と前記支持部との間に前記フレーム本体をなす合成樹脂が存在するように、該フレーム本体に埋め込まれている請求項１〜３の何れか一項に記載のアームレスト用フレーム。
【請求項５】
請求項１〜４の何れか一項に記載のアームレスト用フレームと、
前記アームレスト用フレームを囲うように配置された表皮材と、
前記アームレスト用フレームおよび前記表皮材の間に充填された発泡体と、を備えるアームレスト。
【発明の詳細な説明】
【技術分野】
【０００１】
この発明は、アームレスト用フレームおよび該アームレスト用フレームを用いたアームレストに関するものである。
【背景技術】
【０００２】
自動車等の車両のシートには、背もたれを構成するシートバックにアームレストが設けられることがある(例えば、特許文献１参照)。アームレストは、シートバックの側面に設けられた支軸に回転可能に支持されて、シートバックの側面に沿って立ち上がる退避姿勢と、シートバックから前方向へ突き出るように略水平にした使用姿勢との間で姿勢変位する。アームレストは、シートバックの側面から突き出るストッパピンが、アームレストのフレームに形成された開口部に挿入され、ストッパピンが開口部の開口縁に引っ掛かって退避姿勢または使用姿勢で保持されるようになっている。
【先行技術文献】
【特許文献】
【０００３】
【特許文献１】特開２００３−２８９９８６号公報
【発明の概要】
【発明が解決しようとする課題】
【０００４】
特許文献１のアームレストのように、軽量化を目指して、フレームを金属製から合成樹脂製に置き換えることが提案されている。ストッパピンは、十分な機械的強度が必要であることから、一般に金属で構成されることに対して、フレームを合成樹脂製とすると、フレームにおける開口部の開口縁とストッパピンとが当たったとき、合成樹脂製のフレームが負けて壊れることがある。そこで、特許文献１では、ガラス繊維が充填されたポリアミド系樹脂からフレームを構成すると共に、フレームにおける開口部の開口縁に係止突起を立ち上げて補強している。しかしながら、アームレストを退避姿勢から使用姿勢へ姿勢変位を繰り返すと、合成樹脂からなるフレームがストッパピンから加わる力により挫滅してしまうことがある。
【０００５】
本発明は、従来の技術に係る前記問題に鑑み、これらを好適に解決するべく提案されたものであって、使用姿勢で加わる力を適切に受け止めることができるアームレスト用フレームおよび該アームレスト用フレームを用いたアームレストを提供することを目的とする。
【課題を解決するための手段】
【０００６】
前記課題を克服し、所期の目的を達成するため、本発明に係るアームレスト用フレームは、
シートバックに対して、該シートバックに沿う退避姿勢と該シートバックから前方向へ突き出る使用姿勢との間で支軸を中心に姿勢変位可能に設けられるアームレストの骨格を構成するアームレスト用フレームであって、
前記退避姿勢と前記使用姿勢との間での姿勢変位に対応する範囲で開口するように形成され、前記シートバックに設けられた規制部が挿入される開口部が設けられた合成樹脂製のフレーム本体と、
前記開口部において前記使用姿勢で前記規制部に相対する開口縁に対応して、前記フレーム本体に一部を埋め込むように設けられた補強体と、を備え、
前記補強体は、
前記規制部の軸方向へ延在するように設けられ、前記使用姿勢で前記規制部を受け止める受部と、
前記使用姿勢で前記受部と当たる前記規制部と反対側へ該受部から離して、該受部に相対するように設けられた支持部と、
前記受部および前記支持部を連結するように、該受部および該支持部の間に設けられた連結部と、を有し、
前記支持部は、前記アームレストの姿勢変位方向と交差する方向の幅が、前記受部において前記姿勢変位方向と交差する方向の幅よりも大きく設定されていることを要旨とする。
本発明に係るアームレストは、前記アームレスト用フレームを備えることを要旨とする。
【発明の効果】
【０００７】
本発明に係るアームレスト用フレームによれば、使用姿勢で加わる力を適切に受け止めることができる。
本発明に係るアームレストによれば、使用姿勢で加わる力を適切に受け止めることができるアームレスト用フレームを有しており、耐荷重に優れている。
【図面の簡単な説明】
【０００８】
【図１】実施例に係るアームレストが設けられたシートを示す概略斜視図である。
【図２】実施例に係るアームレストが設けられたシートを示す側面図である。
【図３】本発明の実施例に係るアームレスト用フレームを示す側面図であり、(ａ)は使用姿勢であり、(ｂ)は退避姿勢である。
【図４】実施例に係るアームレスト用フレームを示す平面図である。
【図５】図３のＡ部拡大図である。
【図６】図３のＢ−Ｂ線断面図である。
【図７】実施例の補強体を示す概略斜視図である。
【発明を実施するための形態】
【０００９】
次に、本発明に係るアームレスト用フレームおよびアームレストにつき、好適な実施例を挙げて、添付図面を参照して以下に説明する。なお、以下の説明では、シートバックに取り付けたアームレストが使用姿勢にある状態において、シートパッドに着座した乗員を基準として方向を指称する。従って、アームレストは、使用する乗員の腹が向く側が「前」となり、背中が向く側が「後」であり、右腕側が「右」であり、左腕側が「左」であり、頭部側が「上」であり、臀部側が「下」である。
【実施例】
【００１０】
図１および図２に示すように、実施例に係るアームレスト２０は、自動車等の車両のシート１０におけるシートバック１２の側面に設けられ、シートバック１２の側面から前方に突き出て前後方向へ延びる使用姿勢で、シートパッド１４に座った乗員に肘掛けとして使用される。アームレスト２０は、シートバック１２の側面に支軸１６(図２参照)を介して回転可能に片持ち支持されている。そして、アームレスト２０は、使用姿勢 (図１および図２の実線参照)と、シートバック１２に沿って立ち上がる退避姿勢(図２の二点鎖線参照)との間で、支軸１６を中心に姿勢変位可能に設けられている。
【００１１】
図３に示すように、アームレスト２０は、該アームレスト２０の骨格をなすアームレスト用フレーム(以下、単にフレームという。)２２と、フレーム２２を囲うように配置された表皮材２４と、フレーム２２および表皮材２４の間に充填された発泡体２６とを備えている。アームレスト２０は、本革や合成皮革やファブリックなどからなる表皮材２４で外面が構成されて、ポリウレタンフォーム等の発泡体２６のクッション性により、乗員の腕を柔らかく受け止めるようになっている。また、アームレスト２０は、フレーム２２が支軸１６に支持されており、該アームレスト２０に加わる荷重をフレーム２２で支えるようになっている。
【００１２】
図３に示すように、フレーム２２は、シートバック１２に設けられた規制部１８が挿入される開口部３０が設けられた合成樹脂製のフレーム本体２８を備えている。また、フレーム２２は、開口部３０において使用姿勢で規制部１８に相対する開口縁に対応して、フレーム本体２８に一部を埋め込むように設けられた補強体３２を備えている。開口部３０は、アームレスト２０の使用姿勢と退避姿勢との間での姿勢変位に対応する範囲で開口するように形成されている。フレーム２２は、使用姿勢において、補強体３２が規制部１８に当たって、使用姿勢を越えて下方向へ回転しないように規制される(図３(ａ)参照)。フレーム２２は、退避姿勢において、開口部３０における補強体３２と反対側の開口縁が規制部１８に当たって退避姿勢を越えて後方向へ回転しないように規制される(図３(ｂ)参照)。なお、フレーム２２は、成形型に補強体３２をセットした状態でフレーム本体２８を成形するインサート成形によって製造することができる。規制部１８は、ステンレス等の金属からなる円柱状の突起物である。
【００１３】
図３および図４に示すように、フレーム２２は、支軸１６が接続される根元部分が、先端部分よりも厚く形成されて、薄肉にすることで軽量化が計られている先端部分がリブ２２ａにより補強されている。なお、符号２２ｂは、表皮材２４とフレーム２２との間で発泡体２６を発泡成形する際に、発泡体２６の流動を許容する通孔である。開口部３０は、フレーム２２の根元部分に、支軸１６を中心とする円弧状に延在する長孔形状で形成され、実施例では、左右方向に貫通している。
【００１４】
図５〜図７に示すように、補強体３２は、規制部１８の軸方向(左右方向)へ延在するように設けられ、使用姿勢で規制部１８を受け止める受部３４を備えている。補強体３２は、使用姿勢で受部３４と当たる規制部１８と反対側へ該受部３４から離して、該受部３４に相対するように設けられた支持部３６を備えている。換言すると、支持部３６は、支軸１６を中心としたアームレスト２０の姿勢変位方向(以下、単に姿勢変位方向という。)における使用姿勢から退避姿勢に向かう方向(後方向)に受部３４から離して、受部３４に相対するように設けられている。ここで、姿勢変位方向は、図２に示すように、支軸１６の周回りの方向である。更に、補強体３２は、受部３４および支持部３６の間に設けられ、受部３４および支持部３６を連結する連結部３８を備え、受部３４、支持部３６および連結部３８により「コ」状に形成されている。補強体３２は、合成樹脂製のフレーム本体２８よりも剛性を有する金属などの素材で構成されて、例えば、素材としてステンレスを用いることができる。補強体３２は、金属で構成するとき、板材を折り曲げて構成したり、ダイキャスト成形で構成したり、板材を溶接等により接続したりするなどによって作ることができる。
【００１５】
図５〜図７に示すように、受部３４は、板状である。受部３４は、開口部３０の内側に露出するように配置されて、規制部１８に直接当たるようになっている。受部３４は、円柱形状である規制部１８における周方向の１／４以上の範囲を受けるように湾曲して形成された受面３４ａによって、使用姿勢で規制部１８を受け止めるように構成されている(図５参照)。受面３４ａは、規制部１８の周面に合わせて円弧状に形成されている。また、受面３４ａは、規制部１８の中心を通る姿勢変位方向に沿う仮想線を挟んで、規制部１８の周方向６０°ずつの範囲以上に延在するように、姿勢変位方向と交差する方向の幅Ｄ１が設定されている(図５参照)。実施例において、受部３４は、姿勢変位方向と交差する規制部１８の径方向に対応する幅Ｄ１が、規制部１８の直径よりも小さく設定されている。また、受部３４は、規制部１８における開口部３０に挿入される部分に対して、規制部１８の軸方向へ亘って当たるように設けられている(図６参照)。ここで、受部３４は、フレーム本体２８の根元部分の厚みに合わせて寸法設定されており、フレーム本体２８を左右方向に貫通する開口部３０の貫通方向全体に亘って受部３４が存在している。
【００１６】
図５〜図７に示すように、支持部３６は、板状である。支持部３６は、フレーム本体２８の根元部分の厚みに合わせて寸法設定されており、受部３４と左右方向の寸法が同じである。支持部３６は、姿勢変位方向と交差する方向の幅Ｄ２が、受部３４の幅Ｄ１よりも大きく設定されている(Ｄ２＞Ｄ１、図５および図７参照)。実施例において、支持部３６は、姿勢変位方向と交差する規制部１８の径方向に対応する幅Ｄ２が、規制部１８の直径よりも大きく設定されている。また、支持部３６は、受部３４と反対側の面がフレーム本体２８をなす合成樹脂に支持されている(図６参照)。
【００１７】
図７に示すように、連結部３８は、板状であり、受部３４におけるシートバック１２側の縁部と、支持部３６におけるシートバック１２側の縁部とを繋いでいる。補強体３２には、支持部３６と連結部３８とがなす内角部に対応して、三角形状の補強リブ３２ａが設けられている。補強体３２は、支持部３６が合成樹脂製のフレーム本体２８を作製する際の合成樹脂の注入圧力により、受部３４側へ倒れるように変形することを、補強リブ３２ａによって防止している。なお、符号３８ａは、フレーム本体２８を成形する成形型に、補強体３２をセットするときに、型面から突出する磁石等のピンに嵌め合わせて補強体３２を位置決めする位置決め孔である。
【００１８】
図６に示すように、補強体３２は、受部３４と支持部３６との間にフレーム本体２８をなす合成樹脂が存在するように、該フレーム本体２８に埋め込まれている。また、補強体３２は、受部３４の後方向にフレーム本体２８をなす合成樹脂が存在し、支持部３６がフレーム本体２８をなす合成樹脂に前後が挟まれている。
【００１９】
フレーム２２は、合成樹脂からなるフレーム本体２８における開口部３０の開口縁が、アームレスト２０の使用姿勢で規制部１８に当たるのではなく、補強体３２の受部３４が規制部１８に当たり、規制部１８と補強体３２との当接により、使用姿勢にあるアームレスト２０に加わる荷重を支える(図３(ａ)参照)。補強体３２は、受部３４に規制部１８との当たりにより応力が入力されると、規制部１８からの応力の入力方向に離して配置された支持部３６に連結部３８を介して伝わることになる。ここで、支持部３６は、受部３４よりも幅広に形成されているので、応力を受ける面積が広くなり、規制部１８と補強体３２との当接に伴う応力を分散させることができる。従って、補強体３２は、大きな応力が入力されたとしても壊れ難く、フレーム２２に加わる荷重をしっかりと支持することができる。このように、前述したフレーム２２によれば、使用姿勢で加わる力を適切に受け止めることができる。そして、フレーム２２を用いたアームレスト２０は、使用姿勢で加わる力を適切に受け止めることができるフレーム２２によって、耐荷重に優れている。前述したフレーム２２を用いれば、フレーム２２以外のアームレスト２０の構成部品をそのまま使用することができ、フレーム２２を置き換えるだけで、車両の軽量化に伴う燃費の向上に簡単に寄与できる。
【００２０】
フレーム２２は、補強体３２の一部がフレーム本体２８をなす合成樹脂に埋め込まれているので、アンカー効果により補強体３２をフレーム本体２８にしっかりと固定することができる。規制部１８との当接により補強体３２に力が加わっても、補強体３２がずれず、当該力を適切に受け止めることができる。また、補強体３２を、支持部３６の後方向にフレーム本体２８をなす合成樹脂が存在するように埋め込むことで、支持部３６からフレーム本体２８に力を効果的に分散することができる。
【００２１】
受部３４は、円柱形状である規制部１８における周方向の１／４以上の範囲を受けるように湾曲して形成された受面３４ａが、使用姿勢で規制部１８に当たる。このように補強体３２を構成することで、受部３４の受面３４ａが規制部１８との干渉範囲に亘って規制部１８に当たることになり、受部３４に局所的に応力が集中することを回避して、受部３４全体に応力を分散させることができる。
【００２２】
受部３４は、規制部１８における開口部３０に挿入される部分に対して、該規制部１８の軸方向へ亘って当たるように設けられているので、規制部１８が開口部３０の開口縁に当たることを防止できる。従って、合成樹脂製のフレーム本体２８が規制部１８に当たることに起因して、フレーム本体２８が挫滅することを回避できる。
【００２３】
補強体３２は、受部３４と支持部３６との間にフレーム本体２８をなす合成樹脂が存在するように、該フレーム本体２８に埋め込まれているので、受部３４をフレーム本体２８で支えることができ、また応力をより効率よく分散することができる。
【００２４】
（変更例）
前述した構成に限らず、例えば、以下のように変更してもよい。
(１)実施例の補強体は、受部の一縁と支持部の一縁とを連結部で繋いだ「コ」状に形成したが、例えば、受部の中間部と支持部の中間部とを連結部で繋いだ「Ｈ」状に形成するなど、その他の形状であってもよい。
(２)実施例の受部は、円弧状に湾曲するように受面を形成したが、これに限らず、例えば、受面における姿勢変位方向と交差する方向の中間部が折れ曲がる「く」状や、受面における姿勢変位方向と交差する方向の両縁が折れ曲がる「〔（亀甲括弧）」状に形成するなど、その他の形状であってもよい。
(３)板状に形成された支持部に、貫通孔を１個以上設けてもよい。支持部に貫通孔を設けることにより、フレーム本体をなす合成樹脂が貫通孔に入り込んで支持部がフレーム本体に埋め込まれ、アンカー効果により補強体をフレーム本体により強固に固定できる。また、フレーム作製時の合成樹脂が、受部と支持部との間に進入し易くすることができる。
(４)実施例の補強体は、受部を、フレーム本体の左右方向に貫通する開口部の貫通方向全体に亘って形成したが、受部が規制部の軸方向に亘って当たるように設けてあれば、開口部の貫通方向全体に亘って形成されていなくてもよい。
(５)実施例の補強体は、支持部を、フレーム本体の左右方向に貫通する開口部の貫通方向全体に亘って形成したが、フレームに加わる荷重を支持できれば、開口部の貫通方向全体に亘って形成されていなくてもよい。
(６)実施例の補強体は、受部および支持部をフレーム本体の左右方向に貫通する開口部の貫通方向全体に亘って同じ寸法で形成したが、異なる寸法で形成してもよい。このように、支持部は、前記貫通方向の寸法を、受部と同じにすることに限らず、受部よりも大きくしても、受部よりも小さくしても、何れであってもよい。
【符号の説明】
【００２５】
１２ シートバック，１６ 支軸，１８ 規制部，２０ アームレスト，
２２ フレーム(アームレスト用フレーム)，２４ 表皮材，２６ 発泡体，
２８ フレーム本体，３０ 開口部，３２ 補強体，３４ 受部，３４ａ 受面，
３６ 支持部，３８ 連結部，Ｄ１ (受部の)幅，Ｄ２ (支持部の)幅
【図１】
2020066319.tif 000003
【図２】
2020066319.tif 000004
【図３】
2020066319.tif 000005
【図４】
2020066319.tif 000006
【図５】
2020066319.tif 000007
【図６】
2020066319.tif 000008
【図７】
2020066319.tif 000009